(57)【要約】【課題】インターネットプロトコルによって通信する装置のポート番号が他のネットワーク装置のポート番号と重複した場合、自動的に通信を再開できるようにする。【解決手段】端末装置３が中央装置２からの送信を、構内ネットワーク１を介して受信すると、ＩＰアドレス及びポート番号からそのデータが自分あてのものかを判定し、自分あてのものであれば、更に無効又は不正なデータが含まれているかを判定する。正常なデータでないと判定すると、ポート番号の重複と判断して、ポート番号を変更する。そして、変更したポート番号を中央装置２へ送信する。これで、中央装置２はポート番号の変更を認識することにより、新しいポート番号で通信を再開できることになる。【選択図】　　　　図１
2004007166.tif 000002
【特許請求の範囲】
【請求項１】
インターネットプロトコルによって、構内ネットワークに接続された中央装置と端末装置との間で、ＩＰアドレスとポート番号によって通信する装置において、上記中央装置又は端末装置が受信したデータに無効又は不正なデータが含まれているかを判定するデータ判定手段と、このデータ判定手段が動作すると受信側のポート番号を変更するポート番号変更手段とを備えたことを特徴とするビル管理装置。
【請求項２】
変更されたポート番号を送信側へ通知するポート番号送信手段を設けたことを特徴とする請求項１記載のビル管理装置。
【請求項３】
インターネットプロトコルによって、構内ネットワークに接続された中央装置と端末装置と間で、ＩＰアドレスとポート番号によって通信する方法において、上記中央装置又は端末装置が受信したデータに無効又は不正なデータが含まれているかを判定するステップと、この判定ステップが動作すると受信側のポート番号を変更するステップとを備えたことを特徴とするビル管理方法。
【発明の詳細な説明】
【０００１】
【発明の属する技術分野】
この発明は、インターネットプロトコルによって構内ネットワークに接続されたビル管理装置及びその管理方法に関するものである。
【０００２】
【従来の技術】
インターネットプロトコルによって通信する装置は、ＩＰアドレスとポート番号によって、通信相手とアプリケーションを識別するが、ポート番号は通信装置間において自由に設定できるため、ビル内等の構内ネットワークに装置を接続する場合、他のネットワーク装置のポート番号と重複する可能性がある。
【０００３】
【発明が解決しようとする課題】
上記のような従来のビル管理装置では、インターネットプロトコルによって通信する装置のポート番号が、他の無関係のネットワーク装置のポート番号と重複した場合、無効な伝送データの解析により処理性能が低下したり、通信トラフィックの増大により通信速度が低下したりするという問題点がある。
【０００４】
この発明は上記問題点を解消するためになされたもので、ポート番号の重複による処理性能の低下や通信速度の低下を防止できるようにしたビル管理装置を提供することを目的とする。
【０００５】
【課題を解決するための手段】
この発明の第１発明に係るビル管理装置は、インターネットプロトコルによって、構内ネットワークに接続された中央装置と端末装置との間で、ＩＰアドレスとポート番号によって通信する装置において、上記中央装置又は端末装置が受信したデータに無効又は不正なデータが含まれているかを判定するデータ判定手段と、このデータ判定手段が動作すると受信側のポート番号を変更するポート番号変更手段とを備えたものである。
【０００６】
また、第２発明に係るビル管理装置は、第１発明のものにおいて、変更されたポート番号を送信側へ通知するポート番号送信手段を設けたものである。
【０００７】
また、第３発明に係るビル管理方法は、インターネットプロトコルによって、構内ネットワークに接続された中央装置と端末装置との間で、ＩＰアドレスとポート番号によって通信する方法において、上記中央装置又は端末装置が受信したデータに無効又は不正なデータが含まれているかを判定するステップと、この判定ステップが動作すると受信側のポート番号を変更するステップとを備えたものである。
【０００８】
【発明の実施の形態】
実施の形態１．
図１及び図２はこの発明の第１〜第３発明の一実施の形態を示す図で、図１は全体構成図、図２は動作フローチャートである。
図１において、１はビル内等に配設された通信用の構内ネットワーク、２はネットワーク１に接続されたビル管理装置の中央装置、３はネットワーク１に接続され照明、空調、電気錠等のビル内設備の状態を監視し、その状態の変化を中央装置２へ通知するビル管理装置の端末装置、４はネットワーク１に接続されたビル管理装置以外のネットワーク機器である。
【０００９】
中央装置２と端末装置３は、それぞれが自分のＩＰアドレスとポート番号及び相手のＩＰアドレスとポート番号の情報を持ち、インターネットプロトコルによって通信する。
次に、この実施の形態の動作を図２を参照して説明する。
ステップＳ１で端末装置３は送信されたデータを受信すると、受信したデータのＩＰアドレスとポート番号を読み込み、ステップＳ２で自分あてのデータかを判定する。自分あてのデータでなければステップＳ１へ戻る。
【００１０】
自分あてのデータであれば、ステップＳ３へ進み、中央装置２からの正常なデータであるかを判定する。正常なデータであれば、ステップＳ４へ進んで、データの解析処理を実行してステップＳ１へ戻る。正常なデータでなければ、ステップＳ５へ進んで自分のポート番号を新たに生成したポート番号に変更する。そして、ステップＳ６で新しいポート番号をネットワーク１を介して中央装置２へ送信してステップＳ１へ戻る。
【００１１】
中央装置２はステップＳ６で送信された新しいポート番号を受信し、通信相手である端末装置３のポート番号を更新する。これで、再び端末装置３と通信することが可能となる。
ここで、ステップＳ１〜ステップＳ３はデータ判定手段を、ステップＳ５はポート番号変更手段を、ステップＳ６はポート番号送信手段を構成している。
なお、上記実施の形態では、端末装置３から中央装置２へポート番号の変更を送信するものとしたが、中央装置２から端末装置３へポート番号の変更を送信する場合もあり、同様の手順で処理することが可能である。
【００１２】
このようにして、重複したポート番号は自動的に変更されるため、無効なデータや不正なデータを受信することによる処理性能の低下や、通信速度の低下を防止することが可能となる。また、ポート番号が変更されると、これを送信側へ通知されるため、送信先でポート番号の変更を認識することにより、新しいポート番号で通信を再開することが可能となる。
【００１３】
【発明の効果】
以上述べたとおりこの発明の第１発明では、中央装置又は端末装置が受信したデータに無効又は不正なデータが含まれていると判定すると、受信側のポート番号を変更するようにしたので、処理性能の低下や、通信速度の低下を防止することができる。
【００１４】
また、第２発明では、変更されたポート番号を送信側へ通知するようにしたので、処理性能の低下や、通信速度の低下を防止することができるとともに、新しいポート番号で自動的に通信を再開することができる。
【００１５】
また、第３発明では、中央装置又は端末装置が受信したデータに無効又は不正なデータが含まれていると判定すると、受信側のポート番号を変更する各ステップを備えているので、処理性能の低下や、通信速度の低下を防止することができる。
【図面の簡単な説明】
【図１】この発明の実施の形態１を示す全体構成図。
【図２】この発明の実施の形態１を示す動作フローチャート。
【符号の説明】
１　構内ネットワーク、　２　中央装置、　３　端末装置。
Ｓ１〜Ｓ３　データ判定手段、　Ｓ５　ポート番号変更手段、　Ｓ６　ポート番号送信手段。
【図１】
2004007166.tif 000003
【図２】
2004007166.tif 000004